Podtech/llm-jp-corpus-v4-ja_patent huggingface dataset:
(57)【要約】【課題】  吊上げ時に遮蔽板を取り外す必要がなく、全高が高くならず、ワイヤーを吊りボルトに容易に挿通できるキャビネットを提供する。【解決手段】  キャビネット１は電気機器を収納する箱体２を備え、箱体２の屋根部３に遮熱または遮光用の遮蔽板４と、吊上げワイヤーを通すための４つの吊りボルト５が設けられている。遮蔽板４は平面多角形の薄箱形に成形され、内側に空気流通空間が形成されている。吊りボルト５は、遮蔽板４の外周りに露出する状態で屋根部３の４隅に取り付けられ、箱体２の吊上げ時に、遮蔽板４を取り付けたままの状態でワイヤーを吊りボルト５に挿通できるようになっている。【選択図】        図１
2012235598.tif 000002
【特許請求の範囲】
【請求項１】
電気機器を収納する箱体の屋根部に遮蔽板と吊りボルトを備えたキャビネットにおいて、前記吊りボルトを遮蔽板の外周りに露出する状態で箱体の屋根部に取り付けたことを特徴とするキャビネット。
【発明の詳細な説明】
【技術分野】
【０００１】
本発明は、電気機器を収納するキャビネットに関する。
【背景技術】
【０００２】
従来、電気機器を収納する箱体に遮蔽板と吊りボルトを設けたキャビネットが知られている。遮蔽板は箱体の内部を外部の熱や光から遮蔽するために、吊りボルトは箱体の吊上げに使用できるように、どちらも箱体の屋根部に取り付けられている。
【０００３】
例えば、図３に示す従来のキャビネット３１では、箱体３２の屋根部３３に遮蔽板３４が吊りボルト３５を覆うように取り付けられている。図４に示すキャビネット４１では、吊りボルト４５が遮蔽板４４の上方に突出するように取り付けられている。
【０００４】
なお、特許文献１には、図３に示すようなキャビネット３１において、吊りボルト３５と対応する位置の遮蔽板３４に十字孔を形成し、吊上げワイヤーを十字孔に通して吊りボルト３５に挿通する技術が示されている。
【先行技術文献】
【特許文献】
【０００５】
【特許文献１】特開平１０−２２４０４９号公報
【発明の概要】
【発明が解決しようとする課題】
【０００６】
ところが、従来のキャビネットによると、次のような問題点があった。
（１）図３に示すキャビネット３１は、遮蔽板３４が吊りボルト３５を覆っているので、吊上げ時に遮蔽板３４を取り外し、据付後に再び取り付ける必要があり、作業に手間が掛かった。
【０００７】
（２）図４に示すキャビネット４１は、吊りボルト４５が遮蔽板４４の上方に突出しているので、全体の高さ寸法が増し、強度が落ちるばかりでなく、吊りボルト４５の取り付けに背高ナットや補強金具等の付属部品４６を屋根部４３に溶接する必要があった。
【０００８】
（３）特許文献１のキャビネットは、ワイヤーを十字孔と吊りボルト３５の両方に通す必要があり、吊り上げ作業に手間がかかった。
【０００９】
そこで、本発明の目的は、吊上げ時に遮蔽板を取り外す必要がなく、全高が高くならず、ワイヤーを容易に挿通できるキャビネットを提供することにある。
【課題を解決するための手段】
【００１０】
上記課題を解決するために、本発明のキャビネットは、電気機器を収納する箱体の屋根部に遮蔽板と吊りボルトを備え、吊りボルトを遮蔽板の外周りに露出する状態で箱体の屋根部に取り付けたことを特徴とする。
【００１１】
ここで、遮蔽板の内側に比較的大きな容積の空気流通空間を形成できるように、４つの吊りボルトを箱体の屋根部の四隅に取り付け、遮蔽板を平面多角形または円形に形成するのが好ましい。
【発明の効果】
【００１２】
本発明のキャビネットによれば、吊りボルトが遮蔽板の外周りに露出するので、遮蔽板を取り付けたままの状態で、ワイヤーを吊りボルトに容易に挿通できる。また、吊りボルトを箱体の屋根部に取り付けたので、全高を抑え、強度を維持し、付属部品の溶接加工を省略することもできる。
【図面の簡単な説明】
【００１３】
【図１】本発明の一実施形態を示すキャビネットの斜視図である。
【図２】遮蔽板の平面形状を例示するキャビネットの平面図である。
【図３】従来のキャビネットを示す斜視図である。
【図４】従来の別のキャビネットを示す斜視図である。
【発明を実施するための形態】
【００１４】
以下、本発明の実施形態を図面に基づいて説明する。図１に示すように、この実施形態のキャビネット１は、電気機器を収納する箱体２の屋根部３に、遮熱または遮光用の遮蔽板４と、吊上げワイヤーを通すための４つの吊りボルト５とが配設されている。
【００１５】
遮蔽板４は平面多角形の薄箱形に板金成形され、内側に空気流通空間が形成されている。吊りボルト５は、遮蔽板４の外周りに露出する状態で屋根部３の４隅に取り付けられている。箱体２の４隅には支柱（図示略）が内装され、支柱の上端付近に吊りボルト５を留めるナットが設けられている。
【００１６】
図２（ａ）に示す遮蔽板４Ａは平面八角形に形成され、屋根部３の四隅が吊りボルト５と共に遮蔽板４Ａの外回りに露出している。図２（ｂ）に示す遮蔽板４Ｂは、屋根部３の四辺に内接する円形に形成されている。図２（ｃ）に示す遮蔽板４Ｃは、四隅に吊りボルト５を露出させるための切欠部６を備えた多角形に形成されている。
【００１７】
上記構成のキャビネット１によれば、次のような効果を期待できる。
（ａ）吊りボルト５が遮蔽板４の外周りに露出しているので、遮蔽板４を取り付けたままの状態で吊上げワイヤーを挿通でき、運搬据付作業を簡単に行うことができる。
（ｃ）吊りボルト４を屋根部３の四隅で箱体２に取り付けたので、キャビネット１の全高を低く抑え、強度を維持し、付属部品の溶接加工を省略できる
（ｂ）遮蔽板４にワイヤー挿通孔を加工する必要がなく、ワイヤーを吊りボルト４に直接挿通でき、吊り上げ作業を短時間に行うことができる。
【００１８】
本発明は、上記実施形態に限定されるものではなく、遮蔽板の形状や吊りボルトの個数を変更するなど、発明の趣旨を逸脱しない範囲で、各部の構成を適宜に変更して実施することも可能である。
【符号の説明】
【００１９】
１    キャビネット
２    箱体
３    屋根部
４    遮蔽板
５    吊りボルト
【図１】
2012235598.tif 000003
【図２】
2012235598.tif 000004
【図３】
2012235598.tif 000005
【図４】
2012235598.tif 000006
(57)【要約】【課題】従来の畦畔コンクリート等の型枠くみたては、資材の運搬や杭打ち等で身体に負担がかかり、特に杭を打っている時に途中で石等の障害物がある場合、杭先が折れて苦労していた。【解決手段】掘削面に設置した製品１と製品２の働きにより型枠３を土砂で埋めることが可能となる。【選択図】図１
2012110317.tif 000002
【特許請求の範囲】
【請求項１】
製品１、製品２を設けたことを特徴とする型枠。
【請求項２】
型枠本体３を現場発生の土砂で埋めることを特徴とする請求項１記載の型枠。
【発明の詳細な説明】
【技術分野】
【０００１】この発明は、土木工事（畦畔コンクリート等）の型粋組立の工法に関する。
【背景技術】
【０００２】  従来の畦畔コンクリート等の型枠組立には、図２に示すように杭打ちや突っ張り等の人力作業が必要である。
【先行技術文献】
【特許文献】
【０００３】
【非特許文献】
【０００４】
【発明の概要】
【発明が解決しようとする課題】
【０００５】  しかしながら、以上の技術によれば、資材の運搬や杭打ち等で身体に負担がかかり、特に杭を打っている時に途中で石等の障害物がある場合、杭先が折れて苦労していた。
そこで、この発明は、身体に負担がかからず、スピーディーな施工を提供することを課題とする。
【課題を解決するための手段】
【０００６】  以上の課題を解決するために、第一発明は、杭や突っ張り等の資材が必要ないことを特徴とする型枠である。
また、第２発明は、型粋自体を補強しているので、重機（バックホウ）で型枠組立及び脱型が可能であることを特徴とする型枠である。
【発明の効果】
【０００７】  第一発明、または第２発明によれば、資材が激減し、重機（バックホウ）施工できるので身体に負担がかからずにスピーディーな施工ができる。
【図面の簡単な説明】
【０００８】
【図１】この発明の一実施形態を示す図である。
【図２】従来技術を示す図である。
【発明を実施するための形態】
【０００９】  この発明の一実施形態を、図１に示す。
製品１は鉄筋を溶接して製作し、製品２はコンクリートで製作し、型枠本体３は木製です。
掘削面に、製品１を設置し、製品２を取り付けて、型枠本体３を据付ける。
その後、掘削した時に発生した土砂で型枠本体３を埋める。
【００１０】「実施形態の効果」
この実施形態によれば、ほとんど重機（バックホウ）で施工するため、身体に負担がかかる作業が無く、また、製品２の働きで鉄筋がコンクリート表面に露出しない。
「他の実施形態」
図１の実施形態では、製品２が１個であったが、他の実施形態では、上下に２個設けたものでも良い。
【符号の説明】
【００１１】１  溶接した鉄筋    ２  コンクリート製    ３  型枠本体
４  土砂            ５  杭                ６  突っ張り
７  釘等で固定
【図１】
2012110317.tif 000003
【図２】
2012110317.tif 000004
(57)【要約】      （修正有）【課題】土圧によるずれや、子供が上がったりすることでの倒壊がなく、コンクリート工事による固定が不要な花壇用ブロックを提供する。【解決手段】端部に突起３を有する底板２を擁壁１の裏面垂直部分に設けた、断面がＬ型擁壁である花壇用ブロック。【選択図】図１
2012110312.tif 000002
【特許請求の範囲】
【請求項１】
Ｌ字型擁壁ブロックの平面図において、底板部分の面積を小さくし、底板部分の端部に上向きに突起を設けた花壇ブロック。
【発明の詳細な説明】
【技術分野】
【０００１】本発明は屋上や空き地に簡単に花壇や菜園を作れ、倒れず、取り外しも簡単なブロックの提供に関する。
【背景技術】
【０００２】  従来花壇の作成において、周辺を直方体又は、円柱形のものを、並べ、積み重ね、連結して用いていた。
但し、ブロックを積み上げ固定する為には、ずれ防止のため左官工事をする必要があった。又工事を省略する方法として、ブロックが１対の凹凸面を有し、はめ込んで、連結して囲み固定する方法も、あるが、長い直線の部分において、土の圧力で、ズレたり傾いたりする恐れがあった。
【先行技術文献】
【特許文献】
【０００３】
【特許文献１】    特開２０００−１６６３８４  号公報
【特許文献２】    特開２００１−４５８６３  号公報
【特許文献３】    特開２００３−８８２４２  号公報
【特許文献４】    特開２００３−１０５９１６  号公報
【特許文献４】    特開２００５−１２４４５９  号公報
【発明の概要】
【発明が解決をしようとする課題】
【０００４】  花壇は多様な形にすることが多い。変化を付けるため、デザインの変更も行われるが、そのたびにコンクリート工事をするのは不経済である。しかし、ブロックを並べるだけでは土圧によるずれや、子供が上がったりすることで倒壊することもある。
簡単に造れて丈夫であり、しかも撤去するときの費用が少なく、変更も簡単な、花壇用ブロックが、待ち望まれていた。
本発明は、以上の問題点を解決する為になされたものである。
【課題を解決する為の手段】
【０００５】  本発明は、立断面では、Ｌ型擁壁構造であるが、花壇用に改良したものである。
平面図において底板部分を台形又は長方形とすることで曲線での重なりをなくする。
但し底板面積低減は、ずれや倒壊を起こしやすい。台形の底板の上底又は長方形の端部に、上向きに突起を設け、突起を中心に空き袋または網等で覆い用土を投入する。
【発明の効果】
【０００６】  本発明は、擁壁の底板部分を台形状又は長方形とするため、花壇に求められる直線と曲線を含む、多様な形に対応が可能であり、底板の上底に設けた突起に、網、空き袋で覆って、用土を投入することにより、周辺の土の重量が、底板に集中するので、周辺を歩いても、耕運機を使用しても、傾斜や、ずれを、起こさず丈夫である。コンクリート工事をする必要はなく、並べるだけで簡単に花壇が作れ、形の変更や移動も、簡単である。
【図面の簡単な説明】
【０００７】
【図１】本発明の第１例の裏面斜視図。
【図２】本発明の第２例の裏面斜視図。
【図３】本発明の第３例の裏面斜視図
【発明を実施する為の形態】
【０００８】  本発明は、断面では、Ｌ型擁壁構造であり、擁壁（１）が連円柱の場合台形の底板部分を設ける。擁壁面（１）が直方体の場合は両端の裏面垂直部分（４）を、約４５度に削除し、底板（２）は、台形状とする。（１例として、擁壁巾４０ｃｍの場合台形の下底３２ｃｍ上底７ｃｍ高さ１２ｃｍとする）擁壁部分とＬ型補強部品を別に造り現場で必要に応じて合体する場合は、ブロック中央部とＬ型補強部品（５）にネジ孔を貫通し、ネジを通して締め付け擁壁部分と底板部分を連結する。
底板を長方形又は台形状に形成して面積を減少したＬ型擁壁の花壇ブロックの長所は直角や曲りに自由に対応可能である半面、倒壊や水平移動（ずれ）の恐れがある。その欠点をなくす為、本発明の花壇ブロックは底板（２）の端部に突起（３）を設ける。
花壇を造る場合、突起（３）を中心に網又は、不要になった用土の袋で覆って、用土を投入する事により、周辺の用土の重量が連携して底板に集中するので半永久的にずれは起こらず、長期間の使用に耐える。
【符号の説明】
【０００９】（１）擁壁、（２）底板、（３）突起、（４）端部削除部分、（５）Ｌ型補強部品（６）ネジ、（７）ネジ孔
【図１】
2012110312.tif 000003
【図２】
2012110312.tif 000004
【図３】
2012110312.tif 000005
(57)【要約】【課題】従来の剪定用鋸では枝下部に切り込みを入れる目的でナイフ状の刃物を目立てした鋸刃の下部に装着していたが、このナイフ状の刃物にて剪定する枝の下部に切り込みを入れるのは相当の突き上げの力が必要でしかも高所にある枝の場合には希望する位置に切り込みをいれるのが困難であった。【解決手段】本発明ではナイフ状の刃物の代わりに丸鋸刃を装着し、その丸鋸を枝の下部に押し当てて前後にストロークさせ丸鋸刃で切り込みを入れるようにしたものである。これにより枝下部の希望する位置に正しく切り込みを入れることが可能になる。しかも突き上げて切り込みを入れるには相当の力を必要とするが、本発明では目的の枝に丸鋸刃を押し当てて前後にストロークさせることで簡単に切り込みを入れることが出来る。鋸の先端部、または鋸下部、あるいは鋸背部に丸鋸刃を装着可能で使用者の使い勝手の良い位置に丸鋸刃をとりつけることが出来る。【選択図】図１
2012110311.tif 000002
【特許請求の範囲】
【請求項１】
鋸刃の先端部かあるいは鋸下部の保持柄に近い部分に交換可能な丸鋸刃を装着したことを特徴とする鋸
【発明の詳細な説明】
【技術分野】
【０００１】剪定用鋸に丸鋸を装着させた構造をもつ剪定鋸に関する発明である。
【背景技術】
【０００２】一般に枝を剪定する場合において、枝の太さの半分程度を切断している時にその枝の自重で枝が落下し始めることが度々ある。その様な場合には落下する枝の表皮部分まで十分に切断されていない為、幹の表皮をめくるような状態で枝は落下し幹に大きな損傷を与え木の生育を阻害する原因となる。【０００３】このような損傷を防止する為には、枝剪定をする前に枝下部の幹に近い部分に切り込みを入れた後に枝の上部から剪定鋸で切断する。この枝下部から切り込みを入れるときに普通の鋸では背部に鋸目がないために鋸を上向きにして切り込みを入れる。その後、鋸を持ち替えて枝の上部から切断すると枝が自重で落下し始めてもあらかじめ枝下部の表皮に切り込みを入れていたので幹の表皮をはがすことなく枝は切断される。【０００４】一般の鋸の場合、枝の下部から切り込みをいれる時に鋸を持ち替えなければならないが、特許文献１のように鋸の背面にも鋸目立てをすることにより鋸を持ち替えずに枝の上下から剪定できる鋸が考案されている。これにより枝の下部からの切り込みをいれた後に鋸を持ち替えることなく枝の上からの剪定作業ができる。
【先行技術文献】
【特許文献】
【０００５】
【特許文献１】実願平９−１０９９５号公報（第２ページ、図１）
【発明の概要】
【発明が解決しようとする課題】地上から手の届く範囲の枝打ちの場合には問題はないが、高所にある枝を剪定する高枝用剪定鋸を使用している場合には枝下部に切り込みを入れるのはほぼ不可能な作業となる。特許文献１のように鋸背面の直線部に鋸目立てをした鋸の場合、高所にある枝の剪定作業では長いポールに取り付けて高枝切用鋸として使用される。このときに枝の横方向からの切断はできるが、枝下部に切り込みを入れることは困難である。【０００６】そこで枝下部に切り込みを入れることを目的に鋸の下部部分にナイフ刃を付着し、当ナイフ刃を枝に対して突き上げて枝下部に切り込みを入れる方式ものも存在する。この場合、枝下部に十分な切り込みを入れる為には相当な強い力で突き上げる必要がある。高所にあるところの枝の場合に、刃渡りの短いナイフ刃を枝下部に正確に当てて突き上げるのは簡単ではなく相当な熟練が要求される。【０００７】あるいは、鋸の背直線部から先端の曲面部分までの鋸背部の広い範囲に目立てをすれば枝の下部分に鋸目をあてがうことが出来、枝下部に切り込みを入れることが可能となる。しかしこの位置に目立てをすることは熟練工が手加工で行う以外はない。又、自動機械での目立て加工は技術的に困難である。【０００８】鋸の背面の曲線部位置に目立てをするには熟練工が手作業で行う方法があるが、非常にコストが高くつく。一方、自動機械によって目立てをすることも可能ではあるが鋸背面の曲線部に対応する中心点が鋸面に存在せず、自動加工に必要な基点の設定ができない。したがって、自動機械による加工が困難である。
【課題を解決するための手段】
【０００９】曲線部分に目立てをするという困難な工程を排除し、従来から市場にて簡単に入手可能な丸鋸刃を鋸先端部に取り付けることにより、鋸背面の曲線部に鋸目立てをしたのと同等の効果を発揮させうることが可能となる。丸鋸刃を取り付ければ丸鋸刃の曲線部分が丁度鋸背面の曲線部に目立てをしたときと同じ機能をもたらす。
【発明の効果】
【００１０】鋸の製造過程において鋸の背面の曲面部分に目立てをするという困難な作業が不必要となる。曲面に目立てをするには熟練工の技術が必要で、コスト的にも非常に高くついてしまう。これに対して市場にて安価に調達可能な丸鋸刃を代用することが出来れば、高いコストをかけて困難な目立てをする必要がなくなる。又、丸鋸刃は切れ味が悪くなれば容易に交換可能なので作業能率の向上が図れる。【００１１】実際に地面から遠く離れた高所にある枝を切断するときにナイフ刃を突き上げて枝下部に切り込みを入れる作業は簡単ではない。丸鋸刃を枝に添えて鋸で切断すると同じように上下あるいは前後にストロークさせることで容易に枝に切り込みを入れることができる。作業に不慣れな作業員でも簡単に枝下部に切り込みをいれることが可能となる。
【図面の簡単な説明】
【００１２】
【図１】本発明の実施形態の一例を示す鋸の側面図
【図２】同鋸を高所で使用する為に長柄を取り付けた鋸の側面図
【図３】鋸の先端部に丸鋸刃を取り付けた側面図
【図４】図３の背面から見た図
【図５】鋸の下部に丸鋸刃を取り付けた側面図
【図６】図５の背面から見た図
【図７】鋸の下部に丸鋸刃を取り付ける方法の具体例
【図８】鋸下部の図５の背面部に丸鋸刃を取り付けた側面図
【発明を実施するための形態】
【００１３】以下、本発明の実施の形態を図１から図８に基づいて説明する。
【００１４】保持柄４に鋸刃２が装着されている。その鋸の先端部に丸鋸刃１を取り付ける。鋸下部に丸鋸刃１を取り付ける場合には金具３を保持柄４部分に装着し、その先端部に丸鋸刃１を取り付ける。丸鋸刃１を取り付ける方法の一例として図７に示すように金具３に丸鋸刃１を捻子５と保持板６によって装着する。図６は鋸を装着した鋸下部を背面から見た図である。又、鋸背面方向に丸鋸刃を装着した一例を図８に示す。
【符号の説明】
【００１５】１．丸鋸刃
２．鋸
３．金具
４．保持柄
５．捻子
６．保持板
７．長柄
【図１】
2012110311.tif 000003
【図２】
2012110311.tif 000004
【図３】
2012110311.tif 000005
【図４】
2012110311.tif 000006
【図５】
2012110311.tif 000007
【図６】
2012110311.tif 000008
【図７】
2012110311.tif 000009
【図８】
2012110311.tif 000010
(57)【要約】【課題】ナメクジを捕獲しようとするとき、プランターの裏側や落葉の裏にはそんでいる、又  昼は活動しないので見付けるのがむずかしかった。本発明はナメクジを捕獲するためのナメクジ取りのレンガを提供する。【解決手段】レンガの裏側に凹部を設け、その凹部に通じる通路を設けた。夜間活動の終わったナメクジは住家を求めて通路を通ってレンガに入り込む、ナメクジにとっても風雨にも強く快適な住家を特徴とする、ナメクジ取りのレンガである。【選択図】図１
2012110316.tif 000002
【特許請求の範囲】
【請求項１】
敷石の下面になだらかな凹部を複数個所設け、その凹部に通じる通路を複数個所設けたナメクジ取りレンガ。
【発明の詳細な説明】
【技術分野】
【０００１】本発明は庭や花壇にいる、ナメクジを駆除するレンガに関するものである。
【背景技術】
【０００２】従来は庭や花壇に居るナメクジは，餌に薬を混ぜて与え、薬の力で殺していた。
【発明の概要】
【発明が解決しようとする課題】
【０００３】ナメクジを殺そうとするとき、夜間に活動し昼はプランターの裏側や落ち葉の裏にひそんで寝ているので、昼に見つけるのは難しかった。
本発明は以上の問題を解決するためになされたものである。
【発明を解決するための手段】
【０００４】レンガの裏側に凹部を設け、その凹部通じる通路を設けたもので、夜間に活動が終わったナメクジは通路を通ってレンガに入り込むように構成されたナメクジ取りレンガである。
【発明の効果】
【０００５】  従来は薬を使っていたが、本発明は薬を使わず環境にもやさしく、ナメクジの夜行性の習性を利用して捕獲するものであるので大変簡単である。
【図面の簡単な説明】
【０００６】
【図１】本発明の斜視図
【図２】本発明の使用状態を示す斜視図
【図３】本発明側面図
【発明を実施するための形態】
【０００７】以下、本発明の実施の形態を説明する。
（イ）ナメクジ取りのレンガ（３）、レンガ（３）の表面に複数個所凹部（１）を設ける。
（ロ）凹部（１）に通じる、通路（２）を複数箇所設ける。
実施例ではレンガとしたが、ブロック等の敷石でも良い。
本発明は以上のような構造である
本発明を使用するときは、レンガ（３）の凹部（１）を下にしてナメクジのいそうな所に置く、レンガ（３）を設置するとナメクジは夜間にレンガ（３）の通路（２）よりに入り込み、凹部（１）に入り込むので、昼にレンガをひっくり返し、有無を確かめ捕獲し殺処分する。
【符号の説明】
【０００８】（１）凹部
（２）通路
（３）レンガ
【図１】
2012110316.tif 000003
【図２】
2012110316.tif 000004
【図３】
2012110316.tif 000005
(57)【要約】【課題】航空機の離着陸時や登山時の圧力変化による耳の不快感や痛みを改善させ、耳圧抜きを促す補助具を提供する。【解決手段】弾性素材で中が空洞の加圧空気供給機構を形成し、一端部に逆止弁を設け、他端の２ヶ所に同じ長さの管を２本設け、先端に穴開きキャップを設け、鼻からも耳からも手軽に耳圧抜きを促すようにしたことを特徴とする耳圧抜き補助具。【選択図】図３
2012110647.tif 000002
【特許請求の範囲】
【請求項１】
弾性素材で中が空洞の加圧空気供給機構を設け、一端部に逆止弁を設け、他端の２ヶ所に同じ長さの管を２本設け、先端に穴開きキャップを設けたことを特徴とする耳圧抜き補助具。
【発明の詳細な説明】
【技術分野】
【０００１】  本発明は、航空機の離着陸時や登山時に起こりやすい圧力変化による耳の不快感や痛みを和らげ、耳圧抜きを促す補助具に関するものである。
【背景技術】
【０００２】  従来、航空機の離着陸時や登山時など、鼓膜を境に外部と中耳との間で空気圧の差が生じ、耳に不快感や痛みが生じやすい。また、そのような症状を予防することを目的とした耳栓（特許文献１参照）なども知られている。
【先行技術文献】
【０００３】
【特許文献１】特許公開平７−１００１６３
【発明の概要】
【発明が解決しようとする課題】
【０００４】  従来、航空機の離着陸時や登山時の圧力変化により、耳に不快感や痛みが生じた場合、自身で鼻をつまみ、唾を飲み込むようにして、耳抜きを行ない対処していたが、なかなか症状が改善されないことが多かった。
本発明は、以上の問題点を解決するものである。
【課題を解決するための手段】
【０００５】  ゴム質のような弾性素材で約８０〜１００ｃｃ程の空気が入る中が空洞の加圧空気供給機構を設ける。一端部には球状弁などを用いた逆止弁を設け、他端の２ヶ所に同じ長さの管を２本設ける。管の先端には、穴開きキャップをそれぞれ設ける。
以上の構成からなる耳圧抜き補助具である。
【発明の効果】
【０００６】  （イ）本発明により、圧力変化による耳の不快感や痛みを改善することができる。
（ロ）加圧空気供給機構は約８０〜１００ｃｃ程度の空気が入れられれば、どんな形でもいい。また、逆止弁がついているため、使用後すぐ膨らみ、数回続けて使用できる。
（ハ）鼻から使用し、耳管を広げ耳圧抜きを促すこともできるが、耳から使用し減圧をかけて鼓膜を外側へ押し出させ、耳圧抜きを促すこともでき、鼻と耳の両方で使用できる。
（ニ）軽量で携帯でき、手軽にどこででも使用できる。
【図面の簡単な説明】
【０００７】
【図１】本発明の斜視図
【図２】本発明の断面図
【図３】本発明の実施例を示す斜視図
【発明を実施するための形態】
【０００８】    以下、本発明の実施形態を説明する。
ゴム質のような弾性素材で中が空洞の加圧空気供給機構を（１）を設け、一端部には逆止弁（２）を設ける。他端の２ヶ所に同じ長さの管（３）を２本設け、管（３）の先端には穴開きキャップ（４）をそれぞれ設ける。
本発明は、以上のような構造である。
本発明を使用するときは、加圧空気供給機構（１）が十分空気を含み、膨らんだ状態とし、管（３）２本の先端についている穴開きキャップ（４）を鼻孔にあて、加圧空気供給機構（１）を手で握りつぶすようにして、空気圧をかけることで鼻孔から耳管を広げ、鼓膜を外側へ押し出し耳圧抜きを促す。一度行なった後で改善がみられない場合は続けて数回行なってもいい。耳から行なう場合は、加圧空気供給機構（１）の中の空気を一旦押し出し、へこました状態で、管（３）１本の先端を耳にあて、加圧空気供給機構（１）より、手を離し減圧をかけることで鼓膜を外側に吸い出すようにして耳圧抜きを促す。
【符号の説明】
【０００９】  １加圧空気供給機構、２逆止弁、３管、４穴開きキャップ
【図１】
2012110647.tif 000003
【図２】
2012110647.tif 000004
【図３】
2012110647.tif 000005
(57)【要約】【課題】  凹凸ある固形体材料などを刃物を使って調理するとき、安全で容易、且つ迅速に調理するための調理補助器具を提供する。【解決手段】  バネを嵌入した関節部を基点に、一方は物品を挟む挟持部を設け、他方は挟持部を開閉するための把持部を設け、挟持部で食材や物品を挟んでバネの力で強持し、調理作業を容易にすることを特徴とする調理補助器具。【選択図】図１
2012110648.tif 000002
【特許請求の範囲】
【請求項１】
バネを嵌入した関節部を基点に一方は挟持部を設け、他方は把持部を設け、調理時に該把持部で挟持部を開閉し、材料や物品を挟持することを特徴とする調理補助器具。
【発明の詳細な説明】
【技術分野】
【０００１】  本発明は、調理するとき、その作業を容易で迅速にするための調理補助器具に関するものである。
【背景技術】
【０００２】  従来、調理するとき、殆どの場合材料は素手で、そして、刃物を使用して作業する。
【発明の開示】
【発明が解決しようとする課題】
【０００３】  そのため次ぎのような問題点があった。
調理の種類により、野菜や果物など固形体の材料の皮剥きをする場合が多々あるが、そのとき、材料の形状には凹凸があったり、又、洗った後滑り易い材質や、熱して高温の場合もある。刃物を使って皮剥きをするときは誤って手を傷付けることもあって、調理作業はほねがおれて手間がかかる。
【課題を解決するための手段】
【０００４】  バネを嵌入した関節部を基点に、一方は挟持部を設け、他方は該挟持部を開閉する把持部を設け、調理時に食材や物品をバネの力で強く挟持する。以上を特徴とする調理補助器具である。
【発明の効果】
【０００５】  本発明は、調理時に材料を刃物で皮剥きなどするとき、その材料を挟持し、直接手で把持しないため、刃物が手に触れる心配はなく作業を容易で迅速にする。
【本発明を実施するための最良の形態】
【０００６】  以下、本発明の実施の形態を説明する。
（イ）バネ（１）を嵌入した関節部（２）を基点に一方は挟持部（３）を設ける。
（ロ）他方は挟持部（３）を開閉するための把持部（４）を設ける。
本発明を使用するときは、把持部（４）を操作して挟持部（３）を開閉させる。そして、挟持部はバネ（１）の力で固形体の食材や物品などを強く挟持する。
刃物で皮剥きなどするとき、固形体材料の形状に凹凸が多く剥きにくい場合が多々あり、時間がかかり厄介であったが、材料の挟持位置を回転移動させながら都合の良い位置を挟持すればその皮剥き作業を容易にし、回転させば全体も見易い。この結果、材料を直接手で持たないため、手に刃物が触れることなく安全である。そして、具合よい位置で挟持しながら作業できるので、従来より時間がかかり面倒であった皮剥き作業も迅速になり濡れていても滑らない。従って、皮剥きを伴う面倒な調理も厄介に思わず気軽く作業できる。又、高温な材料や器具なども素手で直接持たなくてもよく火傷をしない。
【図面の簡単な説明】
【０００７】
【図１】  本発明の上正面図
【図２】  本発明の側面図
【符号の説明】
【０００８】１、バネ
２、関節部
３、挟持部
４、把持部
【図１】
2012110648.tif 000003
【図２】
2012110648.tif 000004
【図３】
2012110648.tif 000005
【手続補正書】
【提出日】平成23年3月22日(2011.3.22)
【手続補正１】
【補正対象書類名】明細書
【補正対象項目名】０００７
【補正方法】変更
【補正の内容】
【０００７】
【図１】  本発明の上正面図
【図２】  本発明の横正面図
【図３】  本発明の使用図
(57)【要約】【課題】雨が降っている時はレインブーツで良いが雨が止んだ後、レインブーツでいると靴より歩きずらく目立ってしまい恥ずかしい。また、靴に履き替えてもレインブーツは大きくかさばってしまい持ち運びに不便だった。本発明は、雨のときに膝下が濡れないための膝下雨避けカバーを提供する。【解決手段】カバーの内側上下に止めバンドを設け膝下部分に装着して雨を防ぎ、軽くコンパクトで携帯しやすい膝下雨避けカバー。【選択図】図１
2012110663.tif 000002
【特許請求の範囲】
【請求項１】
ブーツのくるぶしの下付近から下側を切り取った上の部分の形状で、一ヶ所を縦に切り開いた膝下カバーの内側に止めバンドを設けた雨避け膝下カバー。
【請求項２】
カバーの切り開いた部分にファスナー叉はマジックテープを設けた請求項１記載の雨避け膝下カバー。
【発明の詳細な説明】
【技術分野】
【０００１】  本発明は、雨の日に足（膝下）が濡れないようにするために付ける雨避け膝下カバーに関するものである。
【背景技術】
【０００２】  従来、雨の日は足（膝下）が濡れないようレインブーツを履いている。レインブーツは大きくかさばり、持ち運びするのに不便だった。
【発明の概要】
【発明が解決しようとする課題】
【０００３】雨が降っている時はレインブーツで良いが雨が止んだ後、レインブーツでいると靴より歩きずらく目立ってしまい恥ずかしかった。また、靴に履き替えてもレインブーツは大きくかさばってしまい持ち運びに不便だった。
本発明は、以上の問題を解決するためになされたものである。
【課題を解決するための手段】
【０００４】ブーツのくるぶしの下付近から下側を切り取った上側の部分の形状をした非透水性のカバーで、その一ヶ所を縦に切り開きファスナー又はマジックテープを設け、カバー内側に止めバンドを設けたもので、膝下部分に装着して雨を防ぐもので、軽くコンパクトで携帯しやすい膝下カバーである。
【発明の効果】
【０００５】雨が降ってきたら靴を脱がずに装着でき、雨が止んだら簡単に取り外す事ができ、軽量で、折りたたんで携帯する事ができる。
【図面の簡単な説明】
【０００６】
【図１】本発明の右足に装着した斜視図
【図２】本発明の使用前の状態を示す斜視図
【発明を実施するための形態】
【０００７】      以下、本発明の実施の形態を説明する。
（イ）本体カバー（１）はブーツのくるぶしの下付近から下側を切り取った上の部分で、ＡからＢを切り開いた形状。
（ロ）本体カバー（１）の内側、中心部上部に上部止めバンド通し（２）、下部に下部止めバンド通し（３）を付ける。
また、本体カバー（１）の内側左サイド上部に上部止めバンド通し（４）、下部に下部止めバンド通し（５）を付ける。
（ハ）上部止めバンド通し（２）、（４）に上部止めバンド（６）を通す。下部止めバンド通し（３）、（５）に下部止めバンド（７）を通す。
（ニ）本体カバー（１）の左右サイドＡからＢに上から下までファスナー一対（８）を設ける。
（ホ）上部止めバンド（６）の両端にマジックテープ叉は結合ヒンジを付ける。
下部止めバンド（７）の両端にマジックテープ叉は結合ヒンジを付ける。
本発明は以上のような構造である。
本発明を使用するときは、足の膝下側面外側に、本体カバー（１）の内側上部止めバンド通し（２）、下部止めバンド通し（３）が当たるようにして上部止めバンド（６）と下部止めバンド（７）を足に巻き付けながら固定する。
上部止めバンド（６）と下部止めバンド（７）を足に固定する事により本体カバー（１）の右側（後）は足の後ろ側に巻きつく。本体カバー（１）の左側（前）を足の前側から内側に巻き付ける様にし、本体カバー（１）の左右ファスナーＡからＢを合わせて閉める。これにより雨避け膝下カバーが右足の膝下に固定され歩いてもズレる事がなく、雨を避けられる。
【図１】
2012110663.tif 000003
【図２】
2012110663.tif 000004
(57)【要約】【課題】  哺乳瓶で粉ミルクを調乳し乳児に授乳させる際、粉ミルクの調乳温度や哺乳温度を哺乳瓶に取り付けた温度計で正確に把握でき、調乳適温や哺乳適温への不安や心配を解消する哺乳瓶を提供する。【解決手段】  哺乳瓶（１）に温度計（４）を取り付けた、温度計つき哺乳瓶を提供する。【選択図】図１
2012110664.tif 000002
【特許請求の範囲】
【請求項１】
哺乳瓶（１）の筒側に、円柱状の温度計（４）を設けた温度計つき哺乳瓶。
【発明の詳細な説明】
【技術分野】
【０００１】  この発明は、哺乳瓶に温度計を設け、調乳温度と哺乳温度を把握できる哺乳瓶に関するものである。
【背景技術】
【０００２】  従来、哺乳瓶と温度計は、別々の用途に使用されていた。
【先行技術文献】
【０００３】
【特許文献１】
【非特許文献１】
【発明の概要】
【発明が解決しようとする課題】
【０００４】  これは次のような欠点があった。
（イ）赤ちゃんにミルクを与える際、人の体温に近い温度が哺乳適温とされているが、調乳したその哺乳瓶のミルクの正確な温度が分からず、哺乳適温に不安や心配を抱きながら与えるケースがほとんどであった。
（ロ）哺乳瓶で調乳する際、粉ミルクに注ぐ湯の温度は、粉ミルクの各製造会社とも概ね７０度（７０°Ｃ）以上とされているが、一度沸騰した湯を冷ましたり、保温ポットから注ぐケースも多く、注いだ時点で何度のお湯か正確に確認できず、粉ミルクがうまく溶解したか不安や疑問を感じるケースがほとんどである。
【課題を解決するための手段】
【０００５】  哺乳瓶（１）に温度計（４）を設け、哺乳適温、調乳適温を正確に把握する温度計つき哺乳瓶である。
【発明の効果】
【０００６】  哺乳瓶と温度計が一体となっているので、哺乳時に調乳したミルクの哺乳適温が温度計で確認でき、「熱過ぎないか」、「冷た過ぎないか」という不安や心配が解消される。また、哺乳に長い時間を要した場合、途中で冷たくなったものを湯煎等で温め再哺乳する際、温度計で素早く加熱温度が確認できる。
哺乳瓶で調乳する際、沸騰した湯を少し冷まして注ぐが冷まし過ぎていないか、保温ポットから注ぐ際、湯が冷めて温度が低くなっていないか、注いだ時点の湯の温度が正確に確認でき、うまく溶解したかの不安や心配が解消される。
哺乳適温は、人の体温に近い温度が普通とされているが、乳児によって個人差があり、それぞれ乳児の好みの哺乳温度が正確に把握できる。
乳幼児へ水分補給をする際、冷蔵庫に保管された湯冷ましや茶等を哺乳瓶で与える場合、温度計で温度確認でき冷た過ぎないかの不安が解消される。
【図面の簡単な説明】
【０００７】
【図１】  本発明の立体図
【図２】  本発明の断面図
【発明を実施するための形態】
【０００８】  以下、本発明を実施するための形態について説明する。
哺乳瓶（１）の筒側に、円柱状の温度計（４）を取り付ける。
本発明は、以上のような構造である。
温度計つき哺乳瓶を用いれば、勘に頼る不確かな思い込みの温度でなく、調乳時点や哺乳時点の最適な温度が把握でき、必要な加温や冷却が確実に行える。
【符号の説明】
【０００９】１  哺乳瓶
２  乳首キャップ
３  乳首
４  温度計
【図１】
2012110664.tif 000003
【図２】
2012110664.tif 000004
(57)【要約】【課題】回転する２段の卓上小物入を提供する【解決手段】２枚の円形トレーを支柱でつなぎ２段にして、下段底面に回転台を取りつけ、上段トレー、下段トレー、支柱面にそれぞれ小物入をとりつけた、回転する卓上２段小物入。【選択図】図１
2012110666.tif 000002
【特許請求の範囲】
【請求項１】
２枚の円形トレーを支柱でつなぎ２段にして、下段底面に回転台を取りつけ、上段トレー、下段トレー、支柱面にそれぞれ小物入をとりつけた回転する卓上２段小物入。
【発明の詳細な説明】
【技術分野】
【０００１】本発明は、回転する２段の円形卓上小物入れに関するものである。
【背景技術】
【０００２】従来、２段で回転する小物入れはなかった。
【先行技術文献】
【０００３】特に調べておりません。
【発明の概要】
【発明が解決しようとする課題】
【０００４】高齢になり立ち上がりが困難になると、居室の座卓に座ったまま手の届くところに日常使う物をつい置いてしまう。
そのために次のような問題点があった。
（イ）座卓、机の周辺がごちゃごちゃしてくる。
（ロ）置いたつもりが見つからないので、探すのに手間どる。
（ヘ）紛失しやすい。
本発明はこれらの問題点を解決するためになされたものである。
【課題を解決するための手段】
【０００５】円形トレー２枚を支柱を介して固定することによって２段にし、下のトレーの底に回転台をとりつけ、固定材で座卓等に設置する。
【発明の効果】
【０００６】日常使う細々したものが、座卓ですわったまま、手をのばせば届くところにすっきり収納できる。目のとどく所に必要なものがある安心感がある。
回転するので奥のものでも取り出しやすい。
円形トレーを使用したので回転する時に角がじゃまにならない。
【図面の簡単な説明】
【０００７】
【図１】本発明の科視図
【本発明を実施するための形態】
【０００８】以下、本発明の実施の形態について説明する。
（イ）円形トレー上（１）、トレー下（２）を支柱（４）でつなぎ２段にする。
（ロ）回転台（５）をトレー下（１）の底に取りつける。
（ハ）小物入Ａ（６）を支柱（４）に取りつける。
（ニ）小物入Ｂ（７）をトレー下（２）に取りつける
（ホ）回転台（５）の裏面と設置したい机の表面に両面テープ（３）をはり本体を個定させる。
本発明は以上の構成よりなっている。
これを使用する時は、トレーの３分の１が机よりはみでるくらいに設置すると面積が広く使える。
発明者は高齢男性で普段よく使う文具、耳かき、綿棒、くすり等を置いている。
小物入類は、使う人の生活の用途に合わせて好きな物を組み合わせて頂きたい。
【符号の説明】
【０００９】１    円形トレー上
２    円形トレー下
３    両面テープ
４    支柱
５    回転台
６    小物入Ａ
７    小物入Ｂ
【図１】
2012110666.tif 000003
(57)【要約】      （修正有）【課題】空ケースがはずしやすいミニコロコロを提供する。【解決手段】コロコロ本体の円筒端部につめ２を複数個所に設けた。【選択図】図１
2012110665.tif 000002
【特許請求の範囲】
【請求項１】
ミニコロコロの先端につめをつけてストッパーのつめをさげる事で外しがらくになる
【発明の詳細な説明】
【技術分野】
【０００１】
【背景技術】
【０００２】ミニコロコロの最初の取付はかんたんだが取外しがめんどうくさい！
【先行技術文献】
【特許文献】
【０００３】先端につめの用な物をつける、又は金具の用な物を作る
【特許文献１】先端につめの用な物でからのケースをはずしやすくする
【特許文献２】別に金具の用な物で先端をつめのストッパーをはさむ
【非特許文献】
【０００４】
【非特許文献１】
【非特許文献２】
【発明の概要】
【発明が解決しようとする課題】
【・・・・】
取り替がすむーずにいく
【課題を解決するための手段】
【・・・・】
先端のつめをつぶす
【発明の効果】
【・・・・】
いらいらかいしょう
【図面の簡単な説明】
【・・・・】
先端のつめ
【図１】
【発明を実施するための形態】
【・・・・】
【実施例】
【・・・・】
自分で竹細工で作って見た
【産業上の利用可能性】
【・・・・】
らくらくスムーズ
【符号の説明】
【・・・・】
【受託番号】
【・・・・】
【配列表フリーテキスト】
【配列表】
【図１】
2012110665.tif 000003
【図２】
2012110665.tif 000004
【手続補正書】
【提出日】平成23年2月21日(2011.2.21)
【手続補正１】
【補正対象書類名】明細書
【補正対象項目名】全文
【補正方法】変更
【補正の内容】
【発明の詳細な説明】
【技術分野】
【０００１】
【背景技術】
【０００２】ミニコロコロの最初の取付はかんたんだが取外しがめんどうくさい！
【先行技術文献】
【特許文献】
【０００３】先端につめの用な物をつける、又は金具の用な物を作る
【特許文献１】先端につめの用な物でからのケースをはずしやすくする
【特許文献２】別に金具の用な物で先端をつめのストッパーをはさむ
【非特許文献】
【０００４】
【非特許文献１】
【非特許文献２】
【発明の概要】
【発明が解決しようとする課題】取り替がすむーずにいく
【課題を解決するための手段】先端のつめをつぶす
【発明の効果】いらいらかいしょう
【図面の簡単な説明】
【図１】ヨコから見た断面図である  立半分にした断面図です
【図２】断面図です
【発明を実施するための形態】
【実施例】自分で竹細工で作って見た
【産業上の利用可能性】らくらくスムーズ
(57)【要約】      （修正有）【課題】調理台とまな板の汚れ、雑菌の繁殖、悪臭の防止が従来は不完全であった。毎日のことであり継続使用の出し入れ等が課題であった。調理台とまな板台の設置形態を最小限にすると同時にまな板の出し入れを不用にし、しかも水切りと乾燥も考慮したまな板を提供するものである。【解決手段】三角材を使用して縦材３に切り込みを設け水切り用溝５を設置し横材１、縦材３の４本を組み立てて結合して可動式の水切り用の足８，１２を左右に取り付けることによるまな板台。【選択図】図２
2012110659.tif 000002
【特許請求の範囲】
【請求項１】
三角材を使用して縦材に切り込みを設け水切り用溝を設置しその部材  横材、縦材の４本を組立てて結合して水切り用の足を左右に取り付けることによるまな板台。
【発明の詳細な説明】
【技術分野】
【０００１】本発明はまな板の調理台との接触部とまな板の裏面の汚れと乾燥に関するものである。
【背景技術】
【０００２】最近のまな板はプラスチック製が殆んどで両面を使うということから足がない。
三角形の部材を組み合わせて、結合しそれぞれの頂点にまな板をのせ、又は調理台との接触部と三角部材の頂点を接触させて汚れやまな板の水切りと乾燥を促して雑菌の繁殖、悪臭などの防止をはかるものである。
【発明の概要】
【発明が解決しようとする課題】
【０００３】  調理台及びまな板の汚れとまな板の水切りおよび乾燥。
【課題を解決するための手段】
【０００４】三角部材を組み合わせて結合し、まな板及び調理台の接触部を最低限にすることによって雑菌の繁殖を防止し使用後にはまな板を斜めにし溝による水切りと乾燥に有効なまな板台。
【発明の効果】
【０００５】従来不可能であった調理台とまな板の雑菌の繁殖と使用後のまな板の水切りと乾燥を容易にする。本発明の材料はプラスチック製とし水切り用の溝をつけて使用後に片方の足を立てて排水をして乾燥を図り、継続してのまな板使用が容易となる。
【図面の簡単な説明】
【０００６】
【図１】  三角部材及び排水溝の図
【図２】  組立て後のまな板台の斜視図と水切り用足の側面図。
【発明を実施するための形態】
【０００７】以下、本発明の実施の形態を説明する。
（イ）横材（１）、横材（２）を縦材（３）縦材（４）の上にのせて結合する。
（ロ）水切り用溝を溝切り込み（６）（７）に設置して結合する。
（ハ）可動が容易な水切り用の足（８）（９）（１０）（１１）を設置し結合する。
本発明は以上のような構造である。
本発明を使用するときは、まな板台を横にし、まな板も横に使う。
横材（１）と横材（２）の上にまな板をのせる。
水切りと乾燥するときは、まな板の上部を水切り用溝（５）の上に下げてまな板の下部を横材（２）の上にのせて勾配をつける。
又、シンクが左側の場合は水切り用の足（８）に足結合部（９）（１０）（１１）を取り付けて立てる。
調理台のシンクが右側の場合は水切り用足（１２）を立てる。
【符号の説明】
【０００８】Ｉ横材（高さ３センチ程度）、２横材（高さ３センチ程度）、３縦材（高さ３センチ程度）  ４縦材（高さ３センチ程度）、５水切り用溝、６溝の切り込み  ７溝の切り込み、８右側水切り用の足（高さ５センチ程度）、９足結合部  １０  足結合部  １１足結合部  １２左側水切り用の足（高さ５センチ程度）、
【図１】
2012110659.tif 000003
【図２】
2012110659.tif 000004
(57)【要約】【課題】  従来のスタンド型りん棒において、リンを叩く打撃部と把持部とが固定的であるために、必ずしも個人の好みに応じた音質を得るために選択的に質量、形状、硬度などが得られるものがなく、単一的であった。【解決方法】    把持部と打撃部を着脱自在にできる構成のスタンド型りん棒とした。加えて、打撃部を中空構造として、中に重量物を収容して、簡便に重量を替えられる構造のスタンド型りん棒であると、より便利である。【選択図】  図１
2012110656.tif 000002
【特許請求の範囲】
【請求項１】
把持部と打撃部とが、簡便に着脱可能とし、選択的に適切な打撃部を選べる機構を設けたスタンド型りん棒
【請求項２】
りんを打撃する際に、実際に接触する打撃部の部位部分が着脱可能な請求項１に記載のスタンド型りん棒
【請求項３】
打撃部に中空部を有することを特徴とした請求項１または２に記載のスタンド型りん棒
【発明の詳細な説明】
【技術分野】
【０００１】本発明は宗教用具用のスタンド型りん棒に関するものである。
【背景技術】
【０００２】  スタンド型りん棒としては特許３０１２８７２号に記載のスタンド型りん棒がある。
これは棒状本体の先端に球形打鐘部を備え、一方に直立安定させるための基部台座が設けられていることを特徴としている。【０００３】  あるいは特開２００６−１６７４４２号のようにスタンド型りん棒として重量部を下部に持たせて安定化させたものがある。【０００４】  また、特開２００９−２４０７７０にみられるような把持部と打撃部が可撓体で連結され工夫されたスタンド型りん棒が提案されている。
【先行技術文献】
【特許文献】
【０００５】
【特許文献１】特許３０１２８７２号公報
【特許文献１】特開２００６−１６７４４２号公報
【特許文献１】特開２００９−２４０７７０号公報
【発明の概要】
【発明が解決しようとする課題】
【０００６】従来のスタンド型りん棒において、リンをたたく打撃部と把持部が一体的であったり、打撃部と把持部が固定的連結がなされ、黒檀、樹脂等の硬質の木材、樹脂、金属等が利用されてはいた。【０００７】  しかしながら、従来のりん棒では、打撃部と把持部とが固定的であるため、必ずしも個人の好みに応じた音質を得るために、個々のりんに応じ、選択的に質量、形状、硬度などを打撃部に応じたものを提供することが出来ずにいた。
そこで、本発明は、従来の不具合を改善し適宜な、質量、重量、形状、硬度などが異なる打撃部が選択的に用いられるようなスタンド型りん棒を目的とする。
【課題を解決するための手段】
【０００８】  把持部と打撃部とが、簡便に着脱可能とし、選択的に適切な打撃部を選べる機構を設けた。
これによると、個々のおりんの特徴にあったスタンド型りん棒を提供できる。同時に人によって異なる個々の音質やデザインを選べることができる為に便利である。【０００９】また、打撃部の質量部だけ変更させる機構としてもよいが、本発明のように着脱自在にしておくと便利である。例えば、打撃部を中空構造として、中に重量物を収容して、簡便に重量を替えることも考えられる。
もちろんスタンド型りん棒の発明であるが、着脱自在の打撃部に立直しない形状の打撃部も着脱自在の機構になっていてもよい。【００１０】把持部と打撃部との簡便な着脱自在の機構は螺状式であってもよいし、ラッチ式の機構であってもよい。その、着脱自在構造は特に限定されるものでない。
【発明の効果】
【００１１】  個々のおりんの特徴にあったスタンド型りん棒を提供できる。同時に人によって異なる個々の音質やデザインを選べることができる為に便利である。【００１２】また、形状や色彩など、好みのものが選択できる自由度も高まる。これにより、一連の仏壇などの全体的なイメージにあった一体感のあるスタンド型りん棒のデザイン開発コストを低コストで抑えつつ、適切な商品を提供できる。
【図面の簡単な説明】
【００１３】
【図１】本発明の実施形態を示す説明断面図である。
【図２】本発明の実施形態を示す説明断面図である。
【図３】本発明の実施形態を示す説明断面図である。
【発明を実施するための形態】
【００１４】  図面によって実施形態を説明する。簡略のため、説明断面図とした。いずれも垂直方向の中心軸を中心とした回転体である。
図１は把持部（１）と打撃部（２）で構成されている。螺状機構により、着脱自在機構となっている。
ともに材質は、限定されるものではない。しかしながら、打撃部（２）の打撃時にりんに接する部分は、硬質の木材や樹脂が好ましい。打撃部（２）内部に重量部（３）を用いてもよく、これも適宜に取り換えが簡便であることは好ましい。
【００１５】図２においては、打撃部（２）の打撃時にりんに接する打撃部（２）が着脱自在になるものである。上面まで、断熱部材（１）により、載置されている形態である。灰（３）は必要に応じて、使えばよく、場合によっては、最初に準備しておかなくてもよい。
【００１６】図３においては打撃部（２）が中空構造として、適宜な重量物（３）を収容できる構造となっている。重量物（３）は金属などが好ましい。
【符号の説明】
【００１７】１      把持部
１−１  着脱部
２      打撃部
２−１  着脱部
２−２  中空部
３      重量物
【図１】
2012110656.tif 000003
【図２】
2012110656.tif 000004
【図３】
2012110656.tif 000005